(57)【要約】      （修正有）【課題】傘の圧縮動作をしやすくし、傘を閉じるときの危険性を大幅に減らした自動開閉傘を提供する。【解決手段】自動開閉傘は、第一節中棒と第二節中棒と第三節中棒とからなる、中棒ユニットを含む。第二節中棒の頂部内には内栓が固定され、内管の頂部は内栓に連結され、内管内には、底部が作動栓に固定された作動管が差し込まれ、さらに、内管内の頂部には滑車が設けられ、滑車には作動紐が引っかけられ、作動紐の一端は銃弾状部材の頂部に連結され、作動紐の他端は作動栓と連結される。【選択図】図１
0003172090.tif 000002
【実用新案登録請求の範囲】
【請求項１】
傘持ち手部と、操作制御ユニットと、一組の中棒ユニットと、頂部部材と、アクティブ部と、銃弾状部材と、開傘バネと、複数の傘骨とによって構成する、自動開閉傘であって、
操作制御ユニットは、傘持ち手部内に設けられるとともに、ボタンと、制御柱及び凸柱を備える制御リングとを備え、
中棒ユニットは、第一節中棒と、第二節中棒と、第三節中棒とからなり、
頂部部材は、第三節中棒の頂部に連結され、
アクティブ部は、中棒ユニットの外に被せられ、
銃弾状部材は、中棒ユニット内に収容され、
傘骨は、頂部部材とアクティブ部の間に連結されるとともに、傘骨には閉傘バネが設けられ、
第二節中棒の頂部内に内栓が固定され、内管が第二節中棒内に設けられるとともに、内管の頂部は内栓に連結され、内栓の頂端はアクティブ部引き紐の一端に連結され、アクティブ部引き紐の他端は、上に向かって延伸し、頂部部材内の滑車を跨いだ後、外側に出てアクティブ部の頂部に連結され、内管内には作動管が差し込まれ、作動管の頂端には、頂部部材の内底部に差し込まれて連結され、作動管の底部には、透孔と位置決め孔が設けられた作動栓が被せられて連結され、内管内の頂部には、滑車が設けられるとともに、滑車には作動紐が引っかけられ、
作動紐の一端は、透孔を通過して銃弾状部材の頂部に連結され、作動紐の他端は、位置決め孔内にくくりつけられるとともに、作動栓に連結されることを特徴とする、自動開閉傘。
【請求項２】
内管内の頂部には、滑車の代わりにすべすべした金属棒が連結されることを特徴とする、請求項１に記載の自動開閉傘。
【請求項３】
前記自動開閉傘は、四つ折り、或いは、五つ折り自動開閉傘に適用され、その内の中棒ユニットが形成する第四節、或いは、第五節中棒は、第二節中棒の下方に連結されることを特徴とする、請求項１に記載の自動開閉傘。
【考案の詳細な説明】
【技術分野】
【０００１】
本考案は自動開閉傘に関し、特に自動開閉傘の中棒ユニットを改良し、自動開閉傘の最後の傘の圧縮動作をしやすくし、傘を閉じるときの危険性を大幅に減らした自動開閉傘に関する。
【背景技術】
【０００２】
初期の一般的な自動開閉傘の制御構造と作動方法は、例えば、米国特許第ＵＳ６，６８４，８９３Ｂ２号などに開示されている。前記制御構造は傘持ち手部内に設けられる。前記制御構造は、空心内部を備えた本体内に制御リングが設けてなり、制御リングの一側の底部には制御柱が枢設され、本体の一側にはボタンが設けられ、ボタンは傘持ち手部の側方の開孔から外に露出される。以上の構造により、傘の中棒の圧縮と開放を制御することができる。しかしながら、この自動開閉傘の最大の問題は、傘を圧縮して閉じる過程でおこる。なぜなら、傘を閉じるときに、前記傘の中棒内の開傘バネに対して圧縮動作を行なうが、開傘バネの長さは、三節の中棒を合わせた長さに等しく、その長さが長いため、相対的な強度と弾力が小さくない。従って、使用者は力を入れて傘を閉じる動作を行う必要があり、一度で係合させなければならない。しかしながら、力の入れ方や動作が適切でなかった場合、圧縮された開傘バネは、非常に大きな力で、中棒を元の位置へ戻し、使用者の手や体のその他の部位を傷つけてしまうため、この自動開閉傘を実際に使用する上でいくつかの欠点がある。
【０００３】
１、ボタンを押して傘を閉じる時、各傘骨と一緒に傘面も閉じられるが、中棒ユニットは三節の管体の完全に伸びた最長の長さが保たれるため、両手の短い婦女や子供は、両手で中棒ユニットを傘持ち手部へ圧縮して傘を閉じる動作をしにくくなる。
２、開傘バネの長さは、第一節管体から第三節管体の頂端までであり、その強度と弾性力は小さくなく、従って、使用者は、手に大きな力を込めて傘を圧縮して閉じる動作を行わなければならず、それにより、手の力が弱い婦女や子供にとっては、傘を閉じる動作は困難になる。
３、開傘バネの強度と弾力が小さくないため、傘を圧縮して閉じる時、力の入れ方や動作が不適切である時、圧縮された開傘バネは、極めて大きな力で、中棒ユニットを元の位置に戻させるため、使用者の手や体のその他の部位を傷つけてしまうことが往々にしてある。
【先行技術文献】
【特許文献】
【０００４】
【特許文献１】米国特許第ＵＳ６，６８４，８９３Ｂ２号明細書
【考案の概要】
【考案が解決しようとする課題】
【０００５】
本考案は、引き紐で内管内に設けられた作動管を引っ張ることにより、傘を開く時に、頂部部材が押されて第三節中棒が伸展し、また、傘を閉じる時、第三節中棒と第二節中棒は相互に縮められ、それにより、傘を閉じる時に圧縮しやすくすることができる自動開閉傘を提供することを目的とする。
【０００６】
また、本考案は、第二節中棒の頂部に内栓を固定して、開傘バネを支えることにより、開傘バネの長さを短縮して、その強度と弾力を弱めつつ、中棒ユニットを完全に伸展させることができ、それにより、圧縮する時に怪我をするのを防ぐとともに、大幅に危険性を減らすことができる自動開閉傘を提供することを目的とする。
【課題を解決するための手段】
【０００７】
本考案による自動開閉傘は、主に、中棒ユニットの構造を改良している。中棒ユニットの第二節中棒の頂部内には内栓が固定され、内管の頂部は内栓に連結され、内管内には、底部が作動栓に固定された作動管が差し込まれ、さらに、内管内の頂部には滑車が設けられ、滑車には作動紐が引っかけられ、作動紐の一端は銃弾状部材の頂部に連結され、作動紐の他端は作動栓と連結される。この構造により、傘を開く時は、ボタンを押すと、開傘バネによって第二節中棒が上に向かって押され、アクティブ部引き紐と作動紐によって、アクティブ部と第三節中棒が同時に上に向かって移動し、傘を開く動作が完了する。傘を閉じたい時は、再びボタンを押すと、作動紐の引っ張る力が解除されて緩んだ状態になり、閉傘バネによって、アクティブ部と第三節中棒が下に移動し、第三節中棒は、完全に第二節中棒の外に被さり、中棒ユニットの長さが短縮され、最後の傘を圧縮して閉じる動作を行いやすくすることができる。
【図面の簡単な説明】
【０００８】
【図１】本考案の傘を開く前の圧縮状態を示した断面図である。
【図２】本考案の傘を開く時の状態を示した断面図である。
【図３】本考案の傘を閉じる時の状態を示した断面図である。
【図４】本考案の中棒ユニット部分の構造を示した分解図である。
【図５】図２のＡ部分の断面の拡大図である。
【考案を実施するための形態】
【０００９】
図１に示すように、本実施例の自動開閉傘は、三つ折り傘を例にとる。本実施例の自動開閉傘は、傘持ち手部１０と、操作制御ユニット２０と、一組の中棒ユニット３０と、アクティブ部４０と、頂部部材４１と、銃弾状部材５０と、開傘バネ６０と、複数の傘骨７０と、閉傘バネ７１等によって構成する。操作制御ユニット２０は傘持ち手部１０内に設けられ、空心内部を備えた本体内には、制御リング２１と、傘持ち手部１０側方の開孔に設けられるとともに外に露出したボタン２２とが設けられる。制御リング２１の一側の底部には制御柱２３が設けられ、制御リング２１の他側には、アクティブ部４０に係止される凸柱２４が設けられ、それにより、傘を折り畳んだ状態を保持させることができる。中棒ユニット３０は、第一節中棒３１と、第二節中棒３２と、第三節中棒３３とを組み合わせてなる。第三節中棒３３の頂部は頂部部材４１に連結され、第二節中棒３２内の頂部には内栓３５が固定され、内栓３５は内管３４に連結され、中棒ユニット３０の第一節中棒３１の底部は、操作制御ユニット２０の本体に連結される。開傘バネ６０は、中棒ユニット３０の第一節中棒３１、第二節中棒３２内に配置され、各傘骨７０は、アクティブ部４０と頂部部材４１の間に接合される。
【００１０】
図２と図４と図５を参照する。本考案の改良した点は、傘の中棒ユニット３０の構成形態にある。本考案では、主に、第二節中棒３２の頂部内には内栓３５が固定され、内管３４の頂部は内栓３５に連結され、内栓３５の頂端はアクティブ部引き紐４２の一端に連結され、アクティブ部引き紐４２の他端は、上に延伸して頂部部材４１内の滑車を跨いだ後、外側に出てアクティブ部４０の頂部に連結される。また、内管３４内には、作動管３６が差し込まれ、作動管３６の頂端は、頂部部材４１内の底部に差し込まれて連結され、作動管３６の底部は、透孔３８１と位置決め孔３８２とが設けられた作動栓３８に被せられて連結される。内管３４内の頂部には滑車３７が設けられるとともに、滑車３７には作動紐３９が引っかけられ、作動紐３９の一端は、透孔３８１を通過して銃弾状部材５０の頂部に連結され、作動紐３９の他端は位置決め孔３８２内にくくりつけられるとともに、作動栓３８に連結される。
【００１１】
再び図１を参照する。図１は、自動開閉傘を圧縮し、使用のスタンバイ状態の時の構造を示している。中棒ユニット３０内の開傘バネ６０は、第二節中棒３２の内栓３５に押されて圧縮状態となり、アクティブ部４０は、制御リング２１の凸柱２４によって係止されるとともに、制御柱２３は、中棒ユニット３０に下へ押されて傾斜状を形成する。また、銃弾状部材５０は、内管３４に押されるとともに弾性片３１１に支えられて、第一節中棒３１の係合孔に係合される。
【００１２】
図２に示すように、傘を開きたい時は、ボタン２２を押すと、制御リング２１が内側に押されて、凸柱２４がアクティブ部４０の係止から外れる。そして、中棒ユニット３０内の開傘バネ６０の弾力の復元作用により、第二節中棒３２は上へと押され、この時、銃弾状部材５０は第一節中棒３１の係合孔に係合されている。そして、作動紐３９と、滑車３７の作用により、作動管３６は上に引っ張られて頂部部材４１を押し、第三節中棒３３は上へと移動する。この時、アクティブ部４０は、アクティブ部引き紐４２に引っ張られて上へと移動し、傘骨７０が完全に開いて、自動傘の動作が完了する。この時、各傘骨７０の閉傘バネ７１は伸びた状態であり、また、制御柱２３も水平状態を回復して、銃弾状部材５０に当接する。
【００１３】
図３に示すように、傘を閉じたい時は、再びボタン２２を押すと、制御柱２３によって銃弾状部材５０が押されて、第一節中棒３１の係止から外れる。この時、作動紐５１が引っ張る力も解除され、各傘骨７０の閉傘バネ７１の弾力の復元作用により、各傘骨７０は傘面と一緒に自動的に閉じられる。また、アクティブ部４０は、下向きに移動するとともに、第三節中棒３３を下へ押し、それにより、第三節中棒３３は第二節中棒３２の外に被さり、伸びた中棒ユニット３０は、二節分だけの長さとなり、それにより、引き続き行う傘を閉じる動作を更に手軽で行いやすくする。
【００１４】
上述した本考案の自動開閉傘は、三つ折り傘を実施例として説明したが、前記中棒結構は、四つ折り、或いは、五つ折りの自動開閉傘に適用させることもできる。また、中棒ユニットが形成する第四節、或いは、第五節中棒は、第二節中棒の下方に連結される。
【符号の説明】
【００１５】
１０      傘持ち手部    
２０      操作制御ユニット      
２１      制御リング    
２２      ボタン    
２３      制御柱          
２４      凸柱          
３０      中棒ユニット      
３１      第一節中棒      
３２      第二節中棒
３３      第三節中棒      
３４      内管    
３５      内栓    
３６      作動管    
３７      滑車          
３８      作動栓    
３９      作動紐      
４０      アクティブ部    
４１      頂部部材    
４２      アクティブ部引き紐          
５０      銃弾状部材      
６０      開傘バネ      
７０      傘骨      
７１      閉傘バネ      
３１１    弾性片      
３８１    透孔        
３８２    位置決め孔
【図１】
0003172090.tif 000003
【図２】
0003172090.tif 000004
【図３】
0003172090.tif 000005
【図４】
0003172090.tif 000006
【図５】
0003172090.tif 000007